(57)【要約】【課題】撮像シーンを適切に判別する。【解決手段】撮像装置では、撮像して生成した撮像画像に含まれる色情報に基づき当該撮像画像が撮像シーン判別グラフのどの領域に該当するかにより、当該撮像画像の撮像シーンが水中シーンか否かを判別する。この際に、撮像シーンが水中シーンか否かを判別できない場合には、タッチパネル部の全面に対する所定圧力の検知に応じて、撮像装置の撮像環境が水中であるか否かを判別し、判別結果に基づき撮像シーンが水中シーンか否かを判別する。これにより、撮像画像の色情報だけでは撮像シーンが水中シーンであるか非水中シーンであるかを適切に判別できなかった場合でも、タッチパネル部を用いることで撮像シーンを判別できるようになる。【選択図】図３
2013179509.tif 000002
【特許請求の範囲】
【請求項１】
被写体を撮像して撮像画像を生成する撮像部と、
前記撮像部が生成した前記撮像画像に含まれる色情報を抽出する色情報抽出部と、
外部環境からの圧力を検知する圧力検知部と、
前記圧力検知部が検知した前記圧力に応じて、撮像環境が水中か否かを判別する環境判別部と、
前記色情報抽出部が抽出した前記色情報に基づいて前記被写体の撮像シーンが水中シーンか否かを判別できない場合に、前記環境判別部が判別した前記撮像環境に対応する前記撮像シーンを判別する撮像シーン判別部と、
を有する撮像装置。
【請求項２】
前記撮像シーン判別部の前記撮像シーンの判別過程に応じて、前記撮像シーンを更新するまでに要する安定待ち時間を設定する安定待ち時間設定部を、
さらに有する請求項１記載の撮像装置。
【請求項３】
前記安定待ち時間設定部は、前記撮像シーンの前記判別過程に前記環境判別部の判別結果を用いた場合には、前記撮像シーンの前記判別過程に前記色情報抽出部が抽出した前記色情報に基づく判別結果を用いた場合よりも、前記安定待ち時間を短く設定する、
請求項２記載の撮像装置。
【請求項４】
前記撮像シーンの前記判別過程は前記撮像シーンが水中シーンであることを判別する過程である請求項２記載の撮像装置。
【請求項５】
前記圧力検知部は、タッチパネルであって、
前記タッチパネルが、前記タッチパネルの全面で前記外部環境からの所定圧力を検知し、かつ、前記タッチパネル面が電気的に接地しているか否かに応じて、
前記環境判別部は、前記撮像環境が水中か否かを判別する、
請求項１記載の撮像装置。
【請求項６】
前記撮像シーン判別部は、前記環境判別部が前記撮像環境が水中であると判別した場合には、前記撮像シーンは水中シーンであると判別する、
請求項５記載の撮像装置。
【請求項７】
前記撮像シーン判別部は、前記環境判別部が前記撮像環境が非水中であると判別した場合には、前記撮像シーンは非水中シーンであると判別する、
請求項５記載の撮像装置。
【請求項８】
撮像部が被写体を撮像して生成した撮像画像に含まれる色情報を抽出し、
圧力検知部が検知した外部環境からの圧力に応じて、撮像環境が水中か否かを判別し、
抽出した前記色情報に基づいて前記被写体の撮像シーンが水中シーンか否かを判別できない場合に、判別した前記撮像環境に対応する前記撮像シーンを判別する、撮像方法。
【請求項９】
被写体を撮像して撮像画像を生成する撮像部と、外部環境からの圧力を検知する圧力検知部とが接続されたコンピュータに、
前記撮像部が生成した前記撮像画像に含まれる色情報を抽出し、
前記圧力検知部が検知した前記圧力に応じて、撮像環境が水中か否かを判別し、
抽出した前記色情報に基づいて前記被写体の撮像シーンが水中シーンか否かを判別できない場合に、判別した前記撮像環境に対応する前記撮像シーンを判別する、
処理を実行させる撮像プログラム。
【発明の詳細な説明】
【技術分野】
【０００１】
本技術は、撮像装置、撮像方法及び撮像プログラムに関する。
【背景技術】
【０００２】
風景、人物、物品等の被写体を撮像する撮像装置である、例えば、デジタルスチルカメラは、防水ケースに収納した状態により、海中、プール内、川の中等の水中での撮影を行うことができる。
【０００３】
ところで、光は、水中において、赤色は減衰しやすく、青色は透過しやすい性質がある。このため、通常の空気中でのホワイトバランスのデジタルスチルカメラで撮像された水中の被写体の撮像画像には、画像全体に青色が反映される青かぶりという現象が生じる。水中での撮像には、デジタルスチルカメラを水中用のホワイトバランスに設定することで青かぶりの発生を抑制することができる。また、近年では、例えば、撮像画像に含まれる色情報を利用して撮像シーンが水中シーンか否かを判別した結果に基づきホワイトバランスを水中用に制御するデジタルスチルカメラが提案されている（例えば、特許文献１参照）。
【０００４】
特許文献１によれば、まず、グラフの横軸に「Ｂ（Blue）の平均値／Ｇ(Green)の平均値」を、縦軸に「Ｒ(Red)の平均値／Ｇ(Green)の平均値」をそれぞれ設定しておく。そして、当該グラフに対して、水中シーンまたは非水中シーンに分類された大量の撮像画像をＲＧＢの平均値に応じて分布する。このようなグラフでは水中シーンの画像が多く分布する領域、非水中シーンの画像が多く分布する領域、水中シーン及び非水中シーンの画像が混在して分布する領域に区分される。このようにして作成された判別グラフを事前に用意しておく。次いで、デジタルスチルカメラは、撮像した撮像画像が、当該撮像画像に含まれる色情報に基づき判別グラフのどの領域に該当するかにより撮影シーンを判別する。そして、デジタルスチルカメラに対して、判別した撮影シーンに応じたホワイトバランスを設定する。例えば、海面の浅い位置では、外部環境としては水中であっても、外光が届く位置であれば青かぶりの発生が少ない。このため、デジタルスチルカメラでは、撮像画像に含まれる色情報が該当する判別グラフの領域に基づき、非水中シーンが判別されて、そのシーンに応じたホワイトバランスが設定される。また、海中の深い位置の場合のデジタルスチルカメラでは、水中シーンが判別されて、そのシーンに適したホワイトバランスが設定される。
【先行技術文献】
【特許文献】
【０００５】
【特許文献１】特開２００９−１９４４３７号公報
【発明の概要】
【発明が解決しようとする課題】
【０００６】
しかし、特許文献１では、判別グラフの水中シーン及び非水中シーンが混在する領域に撮像画像の色情報が該当すると、撮像シーンを適切に判別できなかった。このため、撮像する際に撮像シーンに応じた適切な撮像・信号パラメータで画像を撮像することができず、撮像画像が悪化するという問題点があった。
【０００７】
本技術は、このような点に鑑みてなされたものであり、撮像シーンを適切に判別できる撮像装置、撮像方法及び撮像プログラムを提供することを目的とする。
【課題を解決するための手段】
【０００８】
上記課題を解決するために、撮像装置は、撮像部と、色情報抽出部と、圧力検知部と、環境判別部と、撮像シーン判別部とを備える。色情報抽出部は、撮像部が被写体を撮像して生成した撮像画像に含まれる色情報を抽出する。環境判別部は、圧力検知部が検知した外部環境からの圧力に応じて、撮像環境が水中か否かを判別する。そして、撮像シーン判別部が、色情報抽出部が抽出した色情報に基づいて被写体の撮像シーンが水中シーンか否かを判別できない場合に、環境判別部が判別した撮像環境に対応する撮像シーンを判別する。
【０００９】
また、上記課題を解決するために、撮像方法として、撮像部が被写体を撮像して生成した撮像画像に含まれる色情報を抽出し、圧力検知部が検知した外部環境からの圧力に応じて、撮像環境が水中か否かを判別し、抽出した色情報に基づいて被写体の撮像シーンが水中シーンか否かを判別できない場合に、判別した撮像環境に対応する撮像シーンを判別する。
【００１０】
また、上記課題を解決するために、撮像プログラムでは、被写体を撮像して撮像画像を生成する撮像部と、外部環境からの圧力を検知する圧力検知部とが接続されたコンピュータに、撮像部が生成した撮像画像に含まれる色情報を抽出し、圧力検知部が検知した圧力に応じて、撮像環境が水中か否かを判別し、抽出した色情報に基づいて被写体の撮像シーンが水中シーンか否かを判別できない場合に、判別した撮像環境に対応する撮像シーンを判別する処理を実行させる。
【発明の効果】
【００１１】
上記の撮像装置、撮像方法及び撮像プログラムによれば、撮像画像の悪化を抑制することができる。
【図面の簡単な説明】
【００１２】
【図１】実施の形態に係る撮像装置の外観の一例を示す図である。
【図２】実施の形態に係る撮像装置を収納する防水ケースの外観の一例を示す図である。
【図３】実施の形態に係る撮像装置のハードウェア構成の一例を示す図である。
【図４】実施の形態に係る撮像装置が備える機能構成の一例を示す図である。
【図５】実施の形態に係る撮像装置により撮像シーンを判別するための撮像シーン判別グラフの一例を示す図である。
【図６】実施の形態に係る撮像装置のタッチパネル部による撮像環境の判別を説明するための図である。
【図７】実施の形態に係る撮像装置の撮像シーンの判断結果の更新に要するカウント値の閾値（安定待ち時間）の一例を示す図である。
【図８】実施の形態に係る撮像装置が設定する撮像シーンに応じた撮像パラメータの設定内容の一例を示す図である。
【図９】実施の形態に係る撮像装置で実行される撮像パラメータの設定処理を示すフローチャート（その１）である。
【図１０】実施の形態に係る撮像装置で実行される撮像パラメータの設定処理を示すフローチャート（その２）である。
【図１１】実施の形態に係る撮像装置で実行される撮像シーンの判別処理を示すフローチャートである。
【図１２】実施の形態に係る撮像装置で実行される安定待ち時間の設定処理を示すフローチャートである。
【発明を実施するための形態】
【００１３】
以下、図面を参照して実施の形態について説明する。
【００１４】
実施の形態に係る撮像装置は、被写体の撮像画像から抽出した色情報に基づいて当該被写体の撮像シーンが水中シーンか否かを判別できない場合に、環境判別部が外部環境からの圧力に基づき撮像シーンが水中シーンか否かを判別した撮像環境に対応する撮像シーンを判別する。これにより撮像装置は、撮像シーンを適切に判別でき、判別した撮像シーンに対応する撮像パラメータ等を適切に設定でき、撮像画像の悪化を抑制することが可能になる。このような撮像装置は、例えば、デジタルスチルカメラ、デジタルビデオカメラ等として実現されるものである。本実施の形態では、撮像装置をデジタルスチルカメラとして説明する。
【００１５】
まず、撮像装置の外観について図１を用いて説明する。
【００１６】
図１は、実施の形態に係る撮像装置の外観の一例を示す図である。なお、図１（Ａ）は撮像装置１００の正面側（撮像レンズ１１ａが備えられた側）を、図１（Ｂ）は撮像装置１００の背面側（撮像画像を表示するディスプレイ部１７が備えられた側）の斜視図をそれぞれ図示している。
【００１７】
撮像装置１００は、外装を構成する筐体部１０を有する。
【００１８】
筐体部１０の正面側の上部には、図１（Ａ）に示すように、レンズ機構１１と、このレンズ機構１１に対して横並びに位置するフラッシュ機構１２とが設けられている。なお、レンズ機構１１の撮像レンズ１１ａから入力される光に基づいて被写体の撮像信号を形成する図示しない撮像機構が内蔵されている。このような撮像機構は、レンズ機構１１の光軸上の後方に配置されている。
【００１９】
筐体部１０の正面側の下部には、図１（Ａ）中において筐体部１０に対し上下にスライドして、撮像レンズ１１ａ並びにフラッシュ機構１２の発光部を開閉するレンズカバー１６が設けられている。図１（Ａ）に示すように、レンズカバー１６が下方向にスライドされてレンズ開放位置にあるときには、撮像レンズ１１ａとフラッシュ機構１２の発光部とは共に開かれ、撮像操作が可能となる。一方、レンズカバー１６が上方向にスライドされてレンズ閉鎖位置にあるときには、撮像レンズ１１ａとフラッシュ機構１２の発光部とは共に閉じられ、撮像操作が不能となる。
【００２０】
筐体部１０の上面部には、電源のオン又はオフを行う電源ボタン１３と、撮像を行うための撮像ボタン１４と、広角側又は望遠側にズーム操作を行うためのズームレバー１５とが設けられている。
【００２１】
また、筐体部１０の背面側には、図１（Ｂ）に示すように、撮像機構で撮像され、または、既に撮像装置１００のメモリ部に記憶されている画像及び動画等を表示するディスプレイ部１７が設けられている。当該ディスプレイ部１７に対して、ユーザからのタッチ入力を受け付けるタッチパネル部１８がさらに設けられている。
ディスプレイ部１７は、筐体部１０の背面を大きく占有するように形成されている。ディスプレイ部１７は、例えば、液晶ディスプレイ、有機ＥＬ（Electo-Luminescence）ディスプレイ等の表示部を備えている。このようなディスプレイ部１７に貼り合わされた透明なシート状のタッチパネル部１８に外部から圧力が加わると、圧力位置に応じた撮像、再生、編集等にまつわる撮像装置１００の動作や設定が各種行われる。
【００２２】
また、撮像装置１００は、水中での撮像の際には、後述する防水ケース５０（図２参照）に収納されて特殊モードに設定される。この場合において、ディスプレイ部１７には、撮像装置１００の操作用のアイコン１７ａ〜１７ｆが表示される。例えば、ディスプレイ部１７には、アイコン１７ａが左側上部に表示される。更に、アイコン１７ｂ〜１７ｆが右側部に上下に間隔をおいて直線状に並べて表示される。
【００２３】
アイコン１７ａは、例えば、撮像画像の再生ボタンアイコンである。アイコン１７ｂ〜１７ｆは、撮像装置１００の他の動作、設定を行うためのアイコンである。例えば、アイコン１７ｂ〜１７ｆは、動画撮影か、静止画撮影かを設定する撮像モード設定アイコン、フラッシュ機構１２の動作モードを設定するフラッシュモード設定アイコン、マクロ撮像か通常撮影かを設定するマクロモード設定アイコン等である。
【００２４】
更に、筐体部１０の（図１（Ｂ）中）右側には、ストラップ紐等を取り付けるための金具１９が設けられている。
【００２５】
次に、水中での撮像を行う際に撮像装置１００を収納するための防水ケースについて図２を用いて説明する。
【００２６】
図２は、実施の形態に係る撮像装置を収納する防水ケースの外観の一例を示す図である。なお、図２（Ａ）は、防水ケース５０の正面側（レンズ窓２１が備えられたフロントケース２０側）を、図２（Ｂ）は防水ケース５０の背面側（視認用窓３２が備えられたリアケース３０側）の斜視図をそれぞれ図示している。
【００２７】
防水ケース５０は、撮像装置１００を着脱可能に収納することができる。このような防水ケース５０は、ヒンジ３１を介して回動可能に連結されたフロントケース２０及びリアケース３０と、撮像装置１００を内部に収納した状態のフロントケース２０及びリアケース３０を綴じる留め機構２３とを有している。なお、フロントケース２０及びリアケース３０は、それぞれ有底箱形状に形成され、内部にそれぞれ収納凹部を有している。これら収納凹部を対向させてフロントケース２０及びリアケース３０を重ね合わせることで、内部に撮像装置１００を収納可能な収納部が設けられている。また、フロントケース２０及びリアケース３０の材質としては、例えば、ＰＣ（ポリカーボネート）が用いられる。なお、フロントケース２０及びリアケース３０の材質は、これに限定されるものではなく、その他の合成樹脂であってもよく、合成樹脂以外にもアルミニウム合金等の金属であってもよい。また、内部の構造が見えるように、材質として透明なＰＣ等であってもよく、透明、半透明或いは不透明な他の合成樹脂であってもよい。
【００２８】
フロントケース２０には、図２（Ａ）に示すように、略四角形状のレンズ窓２１が設けられている。レンズ窓２１は、防水ケース５０のフロント収納凹部に撮像装置１００が収納された際に、収納された撮像装置１００のレンズ機構１１の撮像レンズ１１ａと対向する位置に設けられている。また、レンズ窓２１には、外部の光が自然な形でレンズ機構１１に入力するようにガラス板２２が装着されている。
【００２９】
また、フロントケース２０の上面部には、ケース側の電源ボタン２４と撮像ボタン２５とが設けられている。ケース側の電源ボタン２４及び撮像ボタン２５は、防水ケース５０のフロント収納凹部に収納された撮像装置１００の電源ボタン１３及び撮像ボタン１４にそれぞれ対応する位置に設けられている。これにより、ケース側の電源ボタン２４に対して押下操作を行うと、撮像装置１００側の電源ボタン１３が押下操作される。また、ケース側の撮像ボタン２５に対して押下操作を行うと、撮像装置１００側の撮像ボタン１４が押下操作される。
【００３０】
リアケース３０には、図２（Ｂ）に示すように、防水ケース５０の収納部に収納された撮像装置１００のディスプレイ部１７を視認するための視認用窓３２と、この視認用窓３２を囲むように外面にケースフード３３とが設けられている。
【００３１】
視認用窓３２は、防水ケース５０の収納部に撮像装置１００が収納された際に、ディスプレイ部１７と対向する位置に設けられている。視認用窓３２は、撮像装置１００が防水ケース５０の収納部に収納されていても、撮像装置１００のディスプレイ部１７を外部から視認することを可能とする。
【００３２】
ケースフード３３は、視認用窓３２を囲むように全周にわたってレンズ窓２１に対して反対側の外側に突出されて設けられている。よって、ケースフード３３は、背面側から光が撮像装置１００に入り込んでディスプレイ部１７に照射されるのを防止する。
【００３３】
更に、リアケース３０のケースフード３３の側方（図２（Ｂ）中右側）には、複数の操作ボタン３４が設けられている。これらの操作ボタン３４は、防水ケース５０に収納された撮像装置１００のディスプレイ部１７に表示されるアイコン１７ｂ〜１７ｆを撮像装置１００の外部から操作するためものものであり、アイコン１７ｂ〜１７ｆに対応して設けられている。
【００３４】
次に、このような防水ケース５０に収納される撮像装置１００のハードウェア構成の一例について図３を用いて説明する。
【００３５】
図３は、実施の形態に係る撮像装置のハードウェア構成の一例を示す図である。
【００３６】
撮像装置１００は、図３に示すように、光学ブロック１１１、撮像素子１１２、Ａ／Ｄ変換部１１３（以上が撮像部に対応）、画像情報処理部１１４、表示処理部１１５、操作受付部１１６、タッチパネル制御部１１７及び記録媒体制御部１１８を備える。さらに、光学ブロック１１１、撮像素子１１２、Ａ／Ｄ変換部１１３、画像情報処理部１１４、表示処理部１１５、操作受付部１１６、タッチパネル制御部１１７及び記録媒体制御部１１８と接続して、各部と信号の入出力を行う制御部２００を備える。
【００３７】
光学ブロック１１１は、被写体からの光を撮像素子１１２に集光するための撮像レンズ１１ａ（図１（Ａ））、撮像レンズ１１ａを移動させて焦点合わせ、ズーミング、光軸調整（手ぶれ補正）を行うための駆動機構、シャッタ機構、アイリス機構等を具備している。
【００３８】
撮像素子１１２は、例えば、ＣＣＤ（Charge Coupled Device）型、ＣＭＯＳ（Complementary Metal Oxide Semiconductor）型等の固体撮像素子である。このような撮像素子１１２は、制御部２００から出力されるタイミング信号に基づいて駆動され、被写体からの入射光を電気信号に変換する。撮像素子１１２では、被写体の画像が例えばＲＧＢ（Red，Green，Blue）の３原色のアナログ画像信号として取り出され、必要に応じて増幅される。
【００３９】
Ａ／Ｄ変換部１１３は、撮像素子１１２から出力されたアナログ画像信号の画像情報を、デジタル画像信号に変換する。
【００４０】
画像情報処理部１１４は、制御部２００からの制御に基づき、Ａ／Ｄ変換部１１３から出力されたデジタル画像信号について、黒レベル補正、ホワイトバランス調節、γ補正等の画像処理を行う。このようにして画像処理が施された画像情報が、表示処理部１１５、（制御部２００を介して）記録媒体制御部１１８等に出力される。例えば、画像情報処理部１１４は、画像処理が施された画像情報について圧縮処理を施し、この圧縮処理が施された画像情報（圧縮画像情報）を制御部２００に出力する。制御部２００は、画像情報処理部１１４から出力された圧縮画像情報を記録媒体１１９に記録媒体制御部１１８から供給させる。また、画像情報処理部１１４は、記録媒体１１９に記録されている圧縮画像情報を記録媒体制御部１１８及び制御部２００を介して取得し、当該圧縮画像情報について伸張処理を施し、この伸張処理が施された画像情報を表示処理部１１５に出力する。なお、後述する表示処理部１１５は画像情報処理部１１４から出力された画像情報をディスプレイ部１７に表示させる。また、圧縮方式として、例えば、ＪＰＥＧ（Joint Photographic Experts Group）方式を採用することができる。
【００４１】
表示処理部１１５は、画像情報処理部１１４から画像情報を受け付けて、当該画像情報をディスプレイ部１７に表示させる。また、表示処理部１１５は、例えば、図１（Ｂ）に示したようなアイコン１７ａ〜１７ｆ等の操作画面、設定画面、管理画面等に関する画像情報を制御部２００から受け付ける。この場合、表示処理部１１５は、画像情報処理部１１４からの画像情報と共に、操作画面等の画像情報をディスプレイ部１７に表示させる。
【００４２】
操作受付部１１６は、タッチパネル部１８で受け付ける操作入力以外の、例えば、図１（Ａ）に示した、電源ボタン１３、撮像ボタン１４並びにズームレバー１５による操作入力を受け付けて、各操作内容に応じた信号を制御部２００に出力する。
【００４３】
タッチパネル制御部１１７は、タッチパネル部１８と接続されており、タッチパネル部１８が受け付けたタッチ入力情報に基づき、タッチ位置並びに圧力等を検出し、検出結果を制御部２００に出力する。
【００４４】
記録媒体制御部１１８は、制御部２００からの制御に基づき、記録媒体１１９と接続され、記録媒体１１９から出力された画像情報を制御部２００に出力すると共に、各種画像情報を記録媒体１１９に記録させる。
【００４５】
なお、記録媒体１１９は、記録媒体制御部１１８から供給された画像情報を記録する記録デバイスである。記録媒体１１９には、例えば、ＪＰＥＧ形式の画像情報等の各種データが記録される。なお、記録媒体１１９として、例えば、ディスクメモリカード等の半導体メモリや、ＤＶＤ（Digital Versatile Disc）等のリムーバブル記録媒体を用いることができる。また、記録媒体１１９は、撮像装置１００に内蔵させることも、撮像装置１００から着脱可能にさせることも可能である。
【００４６】
制御部２００は、光学ブロック１１１、撮像素子１１２、Ａ／Ｄ変換部１１３、画像情報処理部１１４、表示処理部１１５、操作受付部１１６、タッチパネル制御部１１７及び記録媒体制御部１１８と接続しており、各部と信号の入出力を行って、各部の制御等を行う。
【００４７】
このような制御部２００は、主制御部２００ａ、メモリ部２００ｂ、グラフィック処理部２００ｃ及び入出力インタフェース２００ｄを備え、各部がバス２００ｅにより相互に接続されている。
【００４８】
主制御部２００ａは、メモリ部２００ｂ等の記憶媒体に記憶された各種プログラムを実行することにより、この撮像装置１００全体を統括的に制御する。
【００４９】
メモリ部２００ｂには、主制御部２００ａに実行させるＯＳ（Operating System）並びにプログラムの少なくとも一部が一時的に格納される。また、メモリ部２００ｂには、主制御部２００ａによる処理に必要な各種データが格納される。
【００５０】
グラフィック処理部２００ｃには、表示処理部１１５が接続されている。グラフィック処理部２００ｃは、主制御部２００ａからの命令に従って、アイコン１７ａ〜１７ｆ等の操作画面、設定画面、管理画面等を表示処理部１１５に出力する。
【００５１】
入出力インタフェース２００ｄには、操作受付部１１６、タッチパネル制御部１１７及び記録媒体制御部１１８が接続されている。入出力インタフェース２００ｄは、バス２００ｅを介して主制御部２００ａからの制御信号を記録媒体制御部１１８に通知し、各部からの信号を同様に主制御部２００ａに通知する。また、タッチパネル制御部１１７からの信号を同様に主制御部２００ａに通知する。
【００５２】
次に、このようなハードウェア構成を有する撮像装置１００が備える機能について図４を用いて説明する。
【００５３】
図４は、実施の形態に係る撮像装置が備える機能構成の一例を示す図である。
【００５４】
撮像装置１００は、画像情報取得部２１０、色情報抽出部２２０、撮像シーン判別グラフ保持部２３０、タッチ情報取得部２４０、環境判別部２５０、撮像シーン判別部２６０及び安定待ち時間設定部２７０を備える。さらに、カウンタ部２８０、撮像シーン判別閾値保持部２９０、撮像シーン保持部３１０、撮像シーン決定部３２０及びパラメータ設定部３３０を備える。
【００５５】
画像情報取得部２１０は、Ａ／Ｄ変換部１１３から被写体のアナログ画像信号から変換されたデジタル画像信号の画像情報を取得して、色情報抽出部２２０に出力する。
【００５６】
色情報抽出部２２０は、画像情報取得部２１０から出力された撮像画像の画像情報から色情報を抽出して、撮像シーン判別部２６０に出力する。色情報は、例えば、撮像画像の画面全体から抽出したＲＧＢの各濃度値から算出された平均値である。算出されたＲＧＢの各平均値を撮像シーン判別部２６０に出力する。
【００５７】
撮像シーン判別グラフ保持部２３０は、撮像シーン判別グラフを保持しており、当該グラフを撮像シーン判別部２６０に出力する。
【００５８】
ここで、撮像シーン判別グラフ保持部２３０が保持する撮像シーン判別グラフについて図５を用いて説明する。
【００５９】
図５は、実施の形態に係る撮像装置により撮像シーンを判別するための撮像シーン判別グラフの一例を示す図である。
【００６０】
なお、当該判別グラフでは、撮像画像の画面全体から抽出されたＲＧＢの各値の平均値に関して、横軸は「Ｂの平均値／Ｇの平均値」を、縦軸は「Ｒの平均値／Ｇの平均値」をそれぞれ表している。このような判別グラフに、予め、水中シーンまたは非水中シーンに分類された大量の撮像画像をＲＧＢの平均値に応じて分布させたものである。
【００６１】
このようにして分布させたグラフでは、水中シーンの画像が多くプロットされているのは破線２３１（破線２３２から右側），２３２以下の領域（水中領域）であり、非水中シーンの画像が多くプロットされているのは破線２３１以上の領域（非水中領域）である。また、水中シーン及び非水中シーンの画像が混在してプロットされているのは破線２３１，２３２で囲まれる領域（混在領域）である。
【００６２】
このように撮像シーン判別グラフは、水中領域、非水中領域及び混在領域の３領域に区分される。
【００６３】
撮像シーン判別グラフ保持部２３０は、このようなグラフを保持している。
【００６４】
図４の説明に戻ると、タッチ情報取得部２４０は、タッチパネル部１８に対するタッチ操作に基づき検出された当該タッチのタッチ位置並びに当該位置での圧力、タッチパネル部１８の電気的な接地等のタッチ情報をタッチパネル制御部１１７から取得して、環境判別部２５０に出力する。
【００６５】
環境判別部２５０は、タッチ情報取得部２４０から出力されたタッチ情報に基づき、撮像装置１００の外部環境（撮像環境）が水中か否かを判別する。
【００６６】
ここで、環境判別部２５０による撮像を行う撮像装置１００の外部環境が水中か否かを判別する方法について図６を用いて説明する。
【００６７】
図６は、実施の形態に係る撮像装置のタッチパネル部による撮像環境の判別を説明するための図である。
【００６８】
背面（タッチパネル部１８）側を向けた状態の撮像装置１００について、図６（Ａ）では非水中（空中）に、図６（Ｂ）では一部が水中に、図６（Ｃ）では水中にそれぞれ位置する場合を図示している。
【００６９】
まず、撮像装置１００が非水中に位置する場合（図６（Ａ））には、タッチパネル部１８は外部環境からの所定以上の圧力を検知しない。環境判別部２５０は、圧力を検知しない場合には、撮像装置１００の撮像環境は非水中であることを判別する。
【００７０】
撮像装置１００の一部が水中に入っている場合（図６（Ｂ））には、タッチパネル部１８は全面に対して一部に外部環境からの所定圧力を検知する。このように一部のタッチパネル部１８に所定圧力（水中からの水圧）を検知する場合には、環境判別部２５０は撮像装置１００の撮像環境を判別しないようにする。
【００７１】
また、撮像装置１００が水中に位置する場合（図６（Ｃ））には、タッチパネル部１８は全面に対する外部環境からの所定圧力（水中からの水圧）とタッチパネル部１８の電気的な接地とを検知する。このようにタッチパネル部１８の全面に対する圧力と、タッチパネル部１８が電気的に接地されていることとを検知した場合には、環境判別部２５０は、撮像装置１００の撮像環境は水中であることを判別する。
【００７２】
再び、図４の説明に戻ると、撮像シーン判別部２６０は、色情報抽出部２２０から撮像画像の色情報が出力されると、撮像シーン判別グラフ保持部２３０から撮像シーン判別グラフ（図５）を取得する。撮像シーン判別部２６０は、撮像シーン判別グラフを参照して、出力された色情報が該当する領域に基づき、撮像画像の撮像シーンが水中シーン、非水中シーンまたは不明であるかを判別する。不明とは、出力された色情報が、撮像シーン判別グラフの「混在領域」に該当する場合であり、撮像シーンを適切に判別することができない場合である。そこで、この場合には、撮像シーン判別部２６０は、環境判別部２５０の撮像環境の判別結果を参照して、当該判別結果に対応する撮像シーンを判別するようにする。撮像シーン判別部２６０は、このような撮像シーンの判別結果を撮像シーン保持部３１０及び撮像シーン決定部３２０にそれぞれ出力する。
【００７３】
安定待ち時間設定部２７０は、撮像シーン判別部２６０の撮像シーンの判別にタッチ情報を利用したか否か等に応じて、撮像シーンの判別結果を安定して更新するために要する待ち時間（安定待ち時間）を設定する。なお、安定待ち時間は、例えば、１カウント当たりに所定の時間を対応付けたカウント値として表すことが可能である。
【００７４】
なお、撮像シーン判別部２６０による撮像シーンの判別処理、安定待ち時間設定部２７０による安定待ち時間の設定処理のそれぞれの詳細については後述する。
【００７５】
カウンタ部２８０は、撮像シーン決定部３２０（後述）による撮像シーンの決定に用いられるカウント値を撮像シーン決定部３２０に順次供給するものである。
【００７６】
撮像シーン判別閾値保持部２９０は、撮像シーン決定部３２０（後述）による撮像シーンの決定に用いられるカウント値の閾値を撮像シーンごとに保持する。以下、撮像シーン判別閾値の具体例について図７を用いて説明する。
【００７７】
図７は、実施の形態に係る撮像装置の撮像シーンの判断結果の更新に要するカウント値の閾値（安定待ち時間）の一例を示す図である。なお、図７では、１カウント当たりに０．１秒を対応付けた場合を示している。
【００７８】
これによれば、撮像シーンの水中シーンには、タッチパネル部１８で撮像装置１００の撮像環境が水中であることの判別が有った場合のカウント値の閾値（安定待ち時間）を「１（０．１秒）」に設定している。タッチパネル部１８での判別が無かった場合のカウント値の閾値（安定待ち時間）を「２０（２．０秒）」に設定している。また、撮像シーンの非水中シーンの場合のカウント値の閾値（安定待ち時間）を「１０（１．０秒）」に設定している。
【００７９】
なお、それぞれの場合の安定待ち時間は、自由に設定することが可能である。但し、タッチパネル部１８で撮像装置１００の撮像環境が水中であることの判別が有った場合のカウント値の閾値は可能な範囲で短く設定するようにしている。
【００８０】
再び、図４の説明に戻ると、撮像シーン保持部３１０は、撮像シーン判別部２６０から出力された、判別された撮像シーンを１つずつ順次入力して保持しつつ、入力時に保持していた撮像シーンを撮像シーン決定部３２０に出力する。具体的には、撮像シーン保持部３１０が、撮像シーン判別部２６０から順次撮像シーンが入力されている場合において、撮像シーン（例えば、この撮像シーンがｎ番目に対応するものとする）を保持している場合について説明する。この場合において、撮像シーン保持部３１０は、撮像シーン判別部２６０からｎ＋１番目に対応する撮像シーンが入力されると、ｎ番目の撮像シーンを撮像シーン決定部３２０に出力すると共に、ｎ＋１番目の撮像シーンを保持するようにする。このようにして撮像シーン保持部３１０が保持する撮像画像は順次更新されていく。
【００８１】
撮像シーン決定部３２０は、撮像画像の撮像シーンを最終的に決定して、決定結果をパラメータ設定部３３０に出力する。撮像シーン決定部３２０は、カウンタ部２８０でカウントアップされるカウント値を受け付けるごとに、撮像シーン判別部２６０から出力された撮像シーンと、撮像シーン保持部３１０が保持する撮像シーンとが同一であるか否かを判断する。それぞれの撮像シーンが同一である場合には、その際のカウント値が、安定待ち時間設定部２７０が設定した撮像シーン判別閾値保持部２９０が保持するカウント値の閾値（安定待ち時間）以上であれば、撮像シーン決定部３２０は、同一である撮像シーンを撮像画像に含まれる被写体の撮像シーンであると決定する。しかし、カウントアップ後のカウント値が閾値未満であれば、撮像画像に含まれる被写体の撮像シーンを決定せずに、次の決定処理を行う。一方、それぞれの撮像シーンが同一ではない場合（異なる場合）には、撮像画像に含まれる被写体の撮像シーンを決定せずに、カウント値を一旦リセットして、次の決定処理を行う。
【００８２】
パラメータ設定部３３０は、撮像シーン決定部３２０から出力された決定結果に基づいて、光学ブロック１１１等が撮像画像を生成するため、または、画像情報処理部１１４が撮像画像の画像処理を行うためのパラメータをそれぞれ設定する。
【００８３】
以下、パラメータの一例として撮像パラメータの具体例について図８を用いて説明する。
【００８４】
図８は、実施の形態に係る撮像装置が設定する撮像シーンに応じた撮像パラメータの設定内容の一例を示す図である。
【００８５】
これによれば、撮像シーンが水中シーンである場合には、パラメータ設定部３３０は、「水中用ホワイトバランス」を選択して、光学ブロック１１１に設定する。
【００８６】
また、撮像シーンが非水中シーンである場合には、非水中シーンに対応する通常のホワイトバランスを光学ブロック１１１に設定する。
【００８７】
なお、撮像シーンに応じて設定されるパラメータとしては、ホワイトバランスの他にもγ補正、トーンカーブ、色再現、シャッタスピード、ＩＳＯ感度等に関しても図８の場合と同様に設定することができる。
【００８８】
次に、このような機能を有する撮像装置１００の撮像パラメータの設定処理について図９及び図１０を用いて説明する。
【００８９】
図９及び図１０は、実施の形態に係る撮像装置で実行される撮像パラメータの設定処理を示すフローチャートである。
【００９０】
［ステップＳ１１０］  操作受付部１１６が（防水ケース５０の電源ボタン２４に対する押下を介して）電源ボタン１３により電源オンを受け付ける。
【００９１】
［ステップＳ１２０］  制御部２００が初期化処理を行う。初期化処理では、例えば、撮像シーン保持部３１０が保持する撮像シーンが消去され、タッチ判別フラグが初期化される。
【００９２】
［ステップＳ１３０］  カウンタ部２８０は、カウント値ｉに０をセットする。
【００９３】
［ステップＳ１４０］  光学ブロック１１１が被写体からの光を撮像素子１１２に集光して、撮像素子１１２が被写体からの入射光からアナログ画像信号の撮像画像を生成する。さらに、Ａ／Ｄ変換部１１３が撮像素子１１２から出力されたアナログ画像信号の撮像画像をデジタル画像信号に変換する。
【００９４】
［ステップＳ１５０］  撮像シーン判別部２６０等が、Ａ／Ｄ変換部１１３から出力されたデジタル画像信号に基づき、当該撮像画像の撮像シーンが水中シーンか非水中シーンかを判別する。
【００９５】
撮像シーン判別部２６０は、判別結果を撮像シーン保持部３１０及び撮像シーン決定部３２０にそれぞれ出力する。また、この際、撮像シーン保持部３１０が撮像シーンを保持していれば、当該撮像シーンを撮像シーン決定部３２０に出力して、撮像シーン判別部２６０から出力された撮像シーンを保持するようにする。
【００９６】
なお、ステップＳ１５０の処理の詳細については図１１で説明する。
【００９７】
［ステップＳ１６０］  安定待ち時間設定部２７０が、ステップＳ１５０の撮像シーンの判別結果等に基づき、撮像シーンの安定待ち時間の設定を行う。
【００９８】
なお、ステップＳ１６０の処理の詳細については図１２で説明する。
【００９９】
［ステップＳ１７０］  撮像シーン決定部３２０は、ステップＳ１５０及びステップＳ１６０で判別及び設定した撮像シーンの安定待ち時間に対応するカウント値の閾値を撮像シーン判別閾値保持部２９０から取得する。
【０１００】
［ステップＳ１８０］  撮像シーン決定部３２０は、撮像シーン判別部２６０から出力された撮像シーンと、撮像シーン保持部３１０が保持する撮像シーンとが同一であるか否かを判断する。それぞれの撮像シーンが同一ではない場合には、ステップＳ１９０に進められ、同一である場合にはステップＳ２００に進められる。
【０１０１】
［ステップＳ１９０］  カウンタ部２８０は、カウント値ｉを０にセットする。
【０１０２】
［ステップＳ２００］  カウンタ部２８０は、カウント値ｉにｉ＋１をセットする。
【０１０３】
［ステップＳ２１０］  撮像シーン決定部３２０は、カウント値ｉが撮像シーンに対するカウント値の閾値以上か否かを判別する。カウント値ｉが判別した撮像シーンに対するカウント値の閾値よりも小さい場合には、ステップＳ２４０に進められ、カウント値ｉが撮像シーンに対するカウント値の閾値以上である場合には、ステップＳ２２０に進められる。
【０１０４】
［ステップＳ２２０］  撮像シーン決定部３２０は、ステップＳ１５０で判別した撮像シーンに決定する。
【０１０５】
［ステップＳ２３０］  パラメータ設定部３３０は、ステップＳ２２０で決定した撮像シーンに対応する撮像パラメータを光学ブロック１１１、画像情報処理部１１４に設定する。
【０１０６】
［ステップＳ２４０］  操作受付部１１６が（防水ケース５０の電源ボタン２４に対する押下を介して）電源ボタン１３により電源オフを受け付けたか否かを判定する。電源オフを受け付けた場合には撮像パラメータ設定処理を終了し、電源オフを受け付けない場合には再びステップＳ１４０の処理に進められる。
【０１０７】
ここで、上記の撮像パラメータ設定処理におけるステップＳ１５０の撮像シーン判別処理について図１１を用いて説明する。
【０１０８】
図１１は、実施の形態に係る撮像装置で実行される撮像シーンの判別処理を示すフローチャートである。
【０１０９】
［ステップＳ１４１］  色情報抽出部２２０が、画像情報取得部２１０から撮像画像の画像情報を取得して、取得した画像情報から、ＲＧＢの各濃度値を抽出して、抽出したＲＧＢの各値の平均値を算出する。
【０１１０】
撮像シーン判別部２６０は、撮像シーン判別グラフ保持部２３０が保持する判別グラフ（図５）を参照して、このようにして抽出された色情報に基づき、取得した撮像画像が判別グラフのどの領域に該当するのかを判別する。
【０１１１】
［ステップＳ１４２］  撮像シーン判別部２６０は、撮像画像の画像情報から抽出した色情報に基づき、当該撮像画像が判別グラフの混在領域に該当するか否かを判別する。
【０１１２】
例えば、撮像装置１００の撮像環境としては水中であっても浅い位置であれば、外光の影響により、このような位置で撮像した撮像画像に含まれる色情報に基づき当該撮像画像が非水中領域に該当することがある。また、撮像環境としては青かぶりが発生するような水中でも、水面側に向かって撮像することにより得られた撮像画像に含まれる色情報に基づき当該撮像画像が混在領域に該当することがある。さらに、撮像環境が非水中でも、被写体が反射する色に応じて、撮像画像に含まれる色情報に基づき当該撮像画像が混在領域に該当することがある。判別グラフの混在領域に該当する場合には、ステップＳ１４３に進められ、判別グラフの混在領域に該当しない場合（水中領域または非水中領域に該当する場合）には、ステップＳ１４９に進められる。
【０１１３】
［ステップＳ１４３］  タッチ情報取得部２４０は、タッチパネル制御部１１７が検知したタッチ情報を取得する。
【０１１４】
［ステップＳ１４４］  環境判別部２５０は、ステップＳ１４３で取得したタッチ情報に基づき、撮像装置１００の撮像環境の判別を実行する。
【０１１５】
［ステップＳ１４５］  環境判別部２５０は、タッチパネル部１８の全面に対する所定圧力及びタッチパネル部１８の電気的な接地を検知したか否かに応じて、撮像装置１００の撮像環境が水中であるか否かを判別する。
【０１１６】
環境判別部２５０は、タッチパネル部１８の全面で所定圧力と、タッチパネル部１８の電気的な接地とを検知した場合には、撮像環境が水中であることを判別し、ステップＳ１４６の処理に進む。また、タッチパネル部１８の全面で所定圧力を検知しない場合または、タッチパネル部１８の電気的な接地を検知しない場合には、撮像環境が非水中であることを判別し、ステップＳ１４８の処理に進む。
【０１１７】
上記の例の水面側に向かって撮像した場合には、撮像環境が水中であることから、タッチパネル部１８が全面に対する所定の圧力を検知するため、環境判別部２５０は、撮像環境が水中であることを判別する。また、上記の例の被写体が反射する色に応じて、撮像画像が混在領域に該当する場合には、撮像環境が非水中であることから、タッチパネル部１８は圧力を検知しないため、環境判別部２５０は、撮像環境が非水中であることを判別する。
【０１１８】
［ステップＳ１４６］  撮像シーン判別部２６０は、撮像シーンは水中シーンであることを判別する。
【０１１９】
［ステップＳ１４７］  撮像シーン判別部２６０は、撮像シーンが水中シーンであることをタッチ情報を用いて判別したことを示すタッチ判別フラグをセットする。
【０１２０】
［ステップＳ１４８］  撮像シーン判別部２６０は、撮像シーンは非水中シーンであることを判別する。
【０１２１】
［ステップＳ１４９］  撮像シーン判別部２６０は、タッチ判別フラグがセットされているか否かを判別する。タッチ判別フラグがセットされている場合には、ステップＳ１４１ａに進められ、セットされていない場合には、ステップＳ１４１ｂに進められる。
【０１２２】
［ステップＳ１４１ａ］  撮像シーン判別部２６０は、タッチ判別フラグをクリアする。
【０１２３】
［ステップＳ１４１ｂ］  撮像シーン判別部２６０は、ステップＳ１４１、ステップＳ１４６またはステップＳ１４８で判別した撮像シーンで確定すると共に、確定した撮像シーンを撮像シーン保持部３１０及び撮像シーン決定部３２０にそれぞれ出力する。
【０１２４】
続けて、撮像パラメータ設定処理におけるステップＳ１６０の安定待ち時間設定処理について図１２を用いて説明する。
【０１２５】
図１２は、実施の形態に係る撮像装置で実行される安定待ち時間の設定処理を示すフローチャートである。
【０１２６】
［ステップＳ１６１］  安定待ち時間設定部２７０は、図１１で説明したタッチ判別フラグがセットされているか否かを判別する。
【０１２７】
［ステップＳ１６２］  ステップＳ１６１の判別の結果、タッチ判別フラグがセットされていない（タッチ情報を利用していない）場合にはステップＳ１６３に進められ、セットされている（タッチ情報が利用されている）場合にはステップＳ１６６に進められる。
【０１２８】
［ステップＳ１６３］  安定待ち時間設定部２７０は、撮像シーン判別部２６０が撮像シーンは水中シーンであると判別したか否かを判別する。撮像シーンが水中シーンではない場合（非水中シーンである場合）にはステップＳ１６４に進められ、撮像シーンが水中シーンである場合にはステップＳ１６５に進められる。
【０１２９】
［ステップＳ１６４］  安定待ち時間設定部２７０は、撮像シーン判別閾値保持部２９０が保持する撮像シーンに対応付けた安定待ち時間に対応するカウント値の閾値のうち、非水中シーン用を選択する。
【０１３０】
例えば、図７の場合であれば、撮像シーン判別閾値保持部２９０が保持するカウント値の閾値を参照して、カウント値の閾値を１０（安定待ち時間を１．０秒）に設定する。
【０１３１】
［ステップＳ１６５］  安定待ち時間設定部２７０は、撮像シーン判別閾値保持部２９０が保持する撮像シーンに対応付けた安定待ち時間に対応するカウント値の閾値のうち、水中シーン用（タッチパネル部１８での判別無し）を選択する。
【０１３２】
例えば、図７の場合であれば、撮像シーン判別閾値保持部２９０が保持するカウント値の閾値を参照して、カウント値の閾値を２０（安定待ち時間を２．０秒）に設定する。
【０１３３】
なお、このように、タッチ情報を利用せずに、色情報のみを用いて撮像シーンが水中シーンであることを判別する場合は、判別結果がすぐに変わってしまうことが考えられる。このような判別結果のふらつきを防止するためにも、比較的長めの安定待ち時間を設定することが望ましい。
【０１３４】
［ステップＳ１６６］  安定待ち時間設定部２７０は、撮像シーン判別閾値保持部２９０が保持する撮像シーンに対応付けた安定待ち時間に対応するカウント値の閾値のうち、水中シーン用（タッチパネル部１８での判別有り）を選択する。
【０１３５】
例えば、図７の場合であれば、撮像シーン判別閾値保持部２９０が保持するカウント値の閾値を参照して、カウント値の閾値を１（安定待ち時間を０．１秒）に設定する。
【０１３６】
なお、このように、タッチ情報を利用することで撮像シーンが水中シーンであることを判別する場合には、撮像装置１００が確実に水中にいることが考えられる。このため、判別結果の更新を早めるためにも、できる限り短い安定待ち時間を設定することが望ましい。
【０１３７】
［ステップＳ１６７］  安定待ち時間設定部２７０は、ステップＳ１６４〜Ｓ１６６で選択した安定待ち時間を設定する。
【０１３８】
このような撮像装置１００では、撮像して生成した撮像画像に含まれる色情報に基づき当該撮像画像が撮像シーン判別グラフのどの領域に該当するかにより、当該撮像画像の撮像シーンが水中シーンか否かを判別する。この際に、撮像シーンが水中シーンか否かを判別できない場合には、タッチパネル部１８の全面に対する所定圧力の検知に応じて、撮像装置１００の撮像環境が水中であるか否かを判別し、判別結果に基づき撮像シーンが水中シーンか否かを判別する。これにより、撮像画像の色情報だけでは撮像シーンが水中シーンであるか非水中シーンであるかを適切に判別できなかった場合でも、タッチパネル部１８を用いることで撮像シーンを判別できるようになる。このため、撮像シーンの判別の精度が向上すると共に、撮像シーンに合わせたホワイトバランス等のパラメータも適切に設定することができ、撮像画像の悪化を抑制することができるようになる。
【０１３９】
仮に、撮像シーンを判別するためにタッチパネル部１８のタッチ情報のみを利用する場合には、例えば、海水の浅瀬では、タッチパネル部１８のみの場合には、撮像環境が水中であることから撮像シーンは水中シーンであることが判別される。しかし、浅瀬では、外光の影響を受けるために、必ずしも青かぶりが発生するとは限らず撮像シーンは非水中シーンとすることが望まれる。このように、タッチパネル部１８のみの場合では、撮像シーンを適切に判別することができない。そこで、撮像装置１００のように、色情報を利用して、撮像シーンを判別できない場合に、タッチパネル部１８が検知するタッチ情報を利用することで撮像シーンをより適切に判別でき、撮像シーンに適切なパラメータを設定することが可能となる。
【０１４０】
また、撮像シーンが水中シーンであることを判別するために、色情報のみを利用した場合には、比較的長めの安定待ち時間を設定するようにした。これにより、撮像シーンの判別結果のふらつきを防止して、水中シーンに対応するパラメータを確実に設定することが可能となる。さらに、同様の判別を行うために、タッチパネル部１８のみを利用した場合には、短い安定待ち時間を設定するようにした。これにより、撮像装置１００が確実に水中にいることから、判別結果の更新を早めて、水中シーンに対応するパラメータを適切かつ即時に設定することが可能となる。
【０１４１】
なお、上記の処理は、コンピュータに所定のプログラムを実行させることで実現できる。その場合、実現すべき処理内容を記述したプログラムが提供される。処理内容を記述したプログラムは、コンピュータ読み取り可能な記憶媒体に記憶しておくことができる。コンピュータ読み取り可能な記憶媒体には、例えば、磁気記録装置、光ディスク、光磁気記録媒体、半導体メモリがある。磁気記録装置には、ハードディスク装置、フレキシブルディスク（ＦＤ）、磁気テープ（ＭＴ）等がある。光ディスクには、ＤＶＤ、ＤＶＤ−ＲＡＭ(Random Access Memory)、ＣＤ−ＲＯＭ（Compact Disc-Read Only Memory）、ＣＤ−Ｒ（Recordable）、ＣＤ−ＲＷ（ReWritable）等がある。光磁気記録媒体には、ＭＯ（Magneto-Optical disk）等がある。
【０１４２】
プログラムを流通させる場合、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにプログラムを転送することもできる。
【０１４３】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１４４】
なお、本技術は以下のような構成を採ることもできる。
（１）被写体を撮像して撮像画像を生成する撮像部と、
前記撮像部が生成した前記撮像画像に含まれる色情報を抽出する色情報抽出部と、
外部環境からの圧力を検知する圧力検知部と、
前記圧力検知部が検知した前記圧力に応じて、撮像環境が水中か否かを判別する環境判別部と、
前記色情報抽出部が抽出した前記色情報に基づいて前記被写体の撮像シーンが水中シーンか否かを判別できない場合に、前記環境判別部が判別した前記撮像環境に対応する前記撮像シーンを判別する撮像シーン判別部と、
を有する撮像装置。
（２）前記撮像シーン判別部の前記撮像シーンの判別過程に応じて、前記撮像シーンを更新するまでに要する安定待ち時間を設定する安定待ち時間設定部を、
さらに有する前記（１）記載の撮像装置。
（３）前記安定待ち時間設定部は、前記撮像シーンの前記判別過程に前記環境判別部の判別結果を用いた場合には、前記撮像シーンの前記判別過程に前記色情報抽出部が抽出した前記色情報に基づく判別結果を用いた場合よりも、前記安定待ち時間を短く設定する、
前記（２）記載の撮像装置。
（４）前記撮像シーンの前記判別過程は前記撮像シーンが水中シーンであることを判別する過程である前記（２）または（３）記載の撮像装置。
（５）前記圧力検知部は、タッチパネルであって、
前記タッチパネルが、前記タッチパネルの全面で前記外部環境からの所定圧力を検知し、かつ、前記タッチパネル面が電気的に接地しているか否かに応じて、
前記環境判別部は、前記撮像環境が水中か否かを判別する、
前記（１）乃至（４）のいずれか１つに記載の撮像装置。
（６）前記撮像シーン判別部は、前記環境判別部が前記撮像環境が水中であると判別した場合には、前記撮像シーンは水中シーンであると判別する、
前記（５）記載の撮像装置。
（７）前記撮像シーン判別部は、前記環境判別部が前記撮像環境が非水中であると判別した場合には、前記撮像シーンは非水中シーンであると判別する、
前記（５）記載の撮像装置。
（８）撮像部が被写体を撮像して生成した撮像画像に含まれる色情報を抽出し、
圧力検知部が検知した外部環境からの圧力に応じて、撮像環境が水中か否かを判別し、
抽出した前記色情報に基づいて前記被写体の撮像シーンが水中シーンか否かを判別できない場合に、判別した前記撮像環境に対応する前記撮像シーンを判別する、撮像方法。
（９）被写体を撮像して撮像画像を生成する撮像部と、外部環境からの圧力を検知する圧力検知部とが接続されたコンピュータに、
前記撮像部が生成した前記撮像画像に含まれる色情報を抽出し、
前記圧力検知部が検知した前記圧力に応じて、撮像環境が水中か否かを判別し、
抽出した前記色情報に基づいて前記被写体の撮像シーンが水中シーンか否かを判別できない場合に、判別した前記撮像環境に対応する前記撮像シーンを判別する、
処理を実行させる撮像プログラム。
【０１４５】
なお、上述の実施の形態は、実施の形態の要旨を逸脱しない範囲内において種々の変更を加えることができる。
【０１４６】
さらに、上述の実施の形態は、多数の変形、変更が当業者にとって可能であり、説明した正確な構成および応用例に限定されるものではない。
【符号の説明】
【０１４７】
２１０……画像情報取得部、２２０……色情報抽出部、２３０……撮像シーン判別グラフ保持部、２４０……タッチ情報取得部、２５０……環境判別部、２６０……撮像シーン判別部、２７０……安定待ち時間設定部、２８０……カウンタ部、２９０……撮像シーン判別閾値保持部、３１０……撮像シーン保持部、３２０……撮像シーン決定部、３３０……パラメータ設定部
【図１】
2013179509.tif 000003
【図２】
2013179509.tif 000004
【図３】
2013179509.tif 000005
【図４】
2013179509.tif 000006
【図５】
2013179509.tif 000007
【図６】
2013179509.tif 000008
【図７】
2013179509.tif 000009
【図８】
2013179509.tif 000010
【図９】
2013179509.tif 000011
【図１０】
2013179509.tif 000012
【図１１】
2013179509.tif 000013
【図１２】
2013179509.tif 000014